【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
先端部に施工対象物に接続された治具が装着される長尺状のシャフトと、
前記シャフトに取付けられたリング部材と、
前記シャフトに沿って往復動自在とされたハンマ部材と、
前記ハンマ部材の内側に突出形成され、前記リング部材に打撃を加える打撃部と、
を備えていることを特徴とするスライドハンマ。
【請求項２】
前記リング部材は、前記打撃部の両側に位置する引き抜き用リング部材と押し込み用リング部材と、から構成されていることを特徴とする請求項１に記載のスライドハンマ。
【請求項３】
前記引き抜き用リング部材と前記押し込み用リング部材との間の距離は、前記ハンマ部材の一端部から前記打撃部の他端側の面までの距離に対して、小さい寸法に形成されていることを特徴とする請求項２に記載のスライドハンマ。
【請求項４】
前記シャフトの外周には、全長にわたって雄ねじが形成され、前記引き抜き用リング部材および前記押し込み用リング部材は、前記雄ねじに螺合されて取付けられることを特徴とする請求項２または請求項３に記載のスライドハンマ。
【請求項５】
前記ハンマ部材は、前記引き抜き用リング部材および前記押し込み用リング部材の外周面に支持されて往復動されることを特徴とする請求項２から請求項４のいずれか一項に記載のスライドハンマ。
【請求項６】
前記ハンマ部材には、前記ハンマ部材の内部と外部とを連通する空気抜き穴が形成されていることを特徴とする請求項１から請求項４のいずれか一項に記載のスライドハンマ。
【請求項７】
前記ハンマ部材には、治具挿入用孔が形成されるとともに、前記引き抜き用リング部材および前記押し込み用リング部材の前記治具挿入用孔に対応する位置には、治具装着用孔が形成されており、
前記治具挿入用孔および前記治具装着用孔に治具を装着した状態で、前記引き抜き用リング部材および前記押し込み用リング部材の位置調整を行うことを特徴とする請求項２から請求項６のいずれか一項に記載のスライドハンマ。
【手続補正２】
【補正対象書類名】明細書
【補正対象項目名】０００９
【補正方法】変更
【補正の内容】
【０００９】
前記目的を達成するため、請求項１の発明に係るスライドハンマは、先端部に施工対象物に接続された治具が装着される長尺状のシャフトと、
前記シャフトに取付けられたリング部材と、
前記シャフトに沿って往復動自在とされたハンマ部材と、
前記ハンマ部材の内側に突出形成され、前記リング部材に打撃を加える打撃部と、
を備えていることを特徴とする。
請求項２に係る発明は、請求項１において、前記リング部材は、前記打撃部の両側に位置する引き抜き用リング部材と押し込み用リング部材と、から構成されていることを特徴とする。
【手続補正３】
【補正対象書類名】明細書
【補正対象項目名】００１０
【補正方法】変更
【補正の内容】
【００１０】
請求項３に係る発明は、請求項２において、前記引き抜き用リング部材と前記押し込み用リング部材との間の距離は、前記ハンマ部材の一端部から前記打撃部の他端側の面までの距離に対して、小さい寸法に形成されているとを特徴とする。
【手続補正４】
【補正対象書類名】明細書
【補正対象項目名】００１１
【補正方法】変更
【補正の内容】
【００１１】
請求項４に係る発明は、請求項２または請求項３において、前記シャフトの外周には、全長にわたって雄ねじが形成され、前記引き抜き用リング部材および前記押し込み用リング部材は、前記雄ねじに螺合されて取付けられることを特徴とする。
【手続補正５】
【補正対象書類名】明細書
【補正対象項目名】００１２
【補正方法】変更
【補正の内容】
【００１２】
請求項５に係る発明は、請求項２から請求項４のいずれか一項において、前記ハンマ部材は、前記引き抜き用リング部材および前記押し込み用リング部材の外周面に支持されて往復動されることを特徴とする。
【手続補正６】
【補正対象書類名】明細書
【補正対象項目名】００１３
【補正方法】変更
【補正の内容】
【００１３】
請求項６に係る発明は、請求項１から請求項４のいずれか一項において、前記ハンマ部材には、前記ハンマ部材の内部と外部とを連通する空気抜き穴が形成されていることを特徴とする。
【手続補正７】
【補正対象書類名】明細書
【補正対象項目名】００１４
【補正方法】変更
【補正の内容】
【００１４】
請求項７に係る発明は、請求項２から請求項６のいずれか一項において、前記ハンマ部材には、治具挿入用孔が形成されるとともに、前記引き抜き用リング部材および前記押し込み用リング部材の前記治具挿入用孔に対応する位置には、治具装着用孔が形成されており、前記治具挿入用孔および前記治具装着用孔に治具を装着した状態で、前記引き抜き用リング部材および前記押し込み用リング部材の位置調整を行うことを特徴とする。
【手続補正８】
【補正対象書類名】明細書
【補正対象項目名】００１５
【補正方法】変更
【補正の内容】
【００１５】
請求項１に係る発明によれば、ハンマ部材によりシャフトを往復動作させることにより、リング部材を打撃部に衝突させて打撃を加えるようにしており、打撃部がハンマ部材の内側に配置されているので、作業者の手指などの挟み込みを確実に防止することができ、安全性の高いスライドハンマを得ることができる。
請求項２に係る発明によれば、ハンマ部材の内側であって引き抜き用リング部材と押し込み用リング部材との間に打撃部を設け、打撃部により引き抜き用リング部材を打撃する引き抜き作業を行う場合、打撃部により押し込み用リング部材を打撃する押し込み作業を行う場合のいずれにおいても、打撃部分がハンマ部材の内側に存在することになるので、作業者の手指などの挟み込みを確実に防止することができ、安全性の高いスライドハンマを得ることができる。さらに、スライドハンマを鉛直方向に立てて使用する場合でも、ハンマ部材の打撃部が押し込み用リング部材に当接して、ハンマ部材が保持されるので、自重でハンマ部材が治具の位置まで、落下してしまうことがなく、作業者がハンマ部材と治具との間に手指を挟まれてしまうことを確実に防止することができる。しかも、ハンマ部材を治具から離れた状態で保持することができるので、治具を施工対象物に接続する際に、ハンマ部材が邪魔にならず、作業性を向上させることができる。
【手続補正９】
【補正対象書類名】明細書
【補正対象項目名】００１６
【補正方法】変更
【補正の内容】
【００１６】
請求項３に係る発明によれば、引き抜き用リング部材と前記押し込み用リング部材との間の距離を、ハンマ部材の一端部から打撃部の他端側の面までの距離に対して、小さい寸法に形成するようにしているので、引き抜き用リング部材および押し込み用リング部材によりハンマ部材を軸方向に適切に案内することができ、しかも、ハンマ部材の打撃部が押し込み用リング部材または引き抜き用リング部材に当接した状態で、ハンマ部材と押し込み用リング部材または引き抜き用リング部材との間に作業者の手指が挿入される隙間が形成されず、安全性を高めることができる。
【手続補正１０】
【補正対象書類名】明細書
【補正対象項目名】００１７
【補正方法】変更
【補正の内容】
【００１７】
請求項４に係る発明によれば、シャフトの外周に、全長にわたって雄ねじを形成し、引き抜き用リング部材および押し込み用リング部材を雄ねじに螺合して取付けるようにしているので、引き抜き用リング部材および押し込み用リング部材の位置調整を容易に行うことができ、しかも、シャフトをねじ部材により構成することができるので、シャフトに対して余分な加工を行う必要がなく、材料コストを低減させることができる。さらに、ハンマ部材を移動させることにより、打撃を加えることができようにしており、シャフトに触れる必要がないので、シャフトの全長にわたって雄ねじを形成した場合でも、不都合がない。
【手続補正１１】
【補正対象書類名】明細書
【補正対象項目名】００１８
【補正方法】変更
【補正の内容】
【００１８】
請求項５に係る発明によれば、ハンマ部材を、引き抜き用リング部材および押し込み用リング部材の外周面に支持させて往復動するようにしているので、ハンマ部材を支持するための他の部材が不要となり、構造が簡単で製造も容易となる。
【手続補正１２】
【補正対象書類名】明細書
【補正対象項目名】００１９
【補正方法】変更
【補正の内容】
【００１９】
請求項６に係る発明によれば、ハンマ部材に、ハンマ部材の内部と外部とを連通する空気抜き穴を形成するようにしているので、ハンマ部材を移動させた際に、ハンマ部材の内部の空気を外部に逃がしたり、取り入れたりすることができ、ハンマ部材を円滑に移動させることができる。
【手続補正１３】
【補正対象書類名】明細書
【補正対象項目名】００２０
【補正方法】変更
【補正の内容】
【００２０】
請求項７に係る発明によれば、ハンマ部材に、治具挿入用孔を形成するとともに、引き抜き用リング部材および押し込み用リング部材の治具挿入用孔に対応する位置に、治具装着用孔を形成し、治具挿入用孔および治具装着用孔に治具を装着した状態で、引き抜き用リング部材および押し込み用リング部材の位置調整を行うようにしているので、引き抜き用リング部材および押し込み用リング部材の位置調整を容易に行うことができる。